【手続補正書】
【提出日】平成24年8月20日(2012.8.20)
【手続補正１】
【補正対象書類名】明細書
【補正対象項目名】発明の名称
【補正方法】変更
【補正の内容】
【発明の名称】３次元映像処理装置及びその制御方法
【手続補正２】
【補正対象書類名】特許請求の範囲
【補正対象項目名】全文
【補正方法】変更
【補正の内容】
【特許請求の範囲】
【請求項１】
視聴者の位置を検出する位置検出手段と、
３次元映像を視聴するための適正視聴範囲を示す情報を記憶する記憶手段と、
前記位置検出手段が検出した視聴者の位置と前記適正視聴範囲との位置関係を示す画像を生成する画像生成手段と、を備えることを特徴とする３次元映像処理装置。
【請求項２】
さらに、前記位置検出手段が検出した視聴者の位置が前記適正視聴範囲外にあるか否かを判定する判定手段を備え、
前記画像生成手段は、前記判定手段により前記視聴者の位置が前記適正視聴範囲外にあると判定された場合に、前記適正視聴範囲外の視聴者の位置と前記適正視聴範囲との位置関係を示す画像を生成することを特徴とする、請求項１に記載の３次元映像処理装置。
【請求項３】
前記画像生成手段は、前記判定手段により複数の視聴者のうちの少なくとも１人の視聴者の位置が前記適正視聴範囲外にあると判定された場合に、前記適正視聴範囲外の視聴者の位置と前記適正視聴範囲との位置関係を示す画像を生成することを特徴とする、請求項２に記載の３次元映像処理装置。
【請求項４】
前記画像生成手段は、前記判定手段により前記視聴者の位置が前記適正視聴範囲外にある時間が所定時間以上継続する場合に、前記適正視聴範囲外の視聴者の位置と前記適正視聴範囲との位置関係を示す画像を生成することを特徴とする、請求項１から３までのいずれか１項に記載の３次元映像処理装置。
【請求項５】
さらに、前記視聴者が用いるシャッタ式眼鏡に対して、シャッタ制御信号を送信するための通信手段を備え、
前記通信手段は、前記判定手段により前記視聴者の位置が前記適正視聴範囲外にあると判定された場合は、前記適正視聴範囲外の視聴者が用いるシャッタ式眼鏡に対して、前記適正視聴範囲外の視聴者の位置と前記適正視聴範囲との位置関係を示す画像を視聴可能にするシャッタ制御信号を送信し、前記判定手段により前記視聴者の位置が前記適正視聴範囲内にあると判定された場合は、前記適正視聴範囲内の視聴者が用いるシャッタ式眼鏡に対して、３次元映像を視聴可能にするシャッタ制御信号を送信することを特徴とする、請求項１から４までのいずれか１項に記載の３次元映像処理装置。
【請求項６】
前記通信手段は、前記判定手段により複数の視聴者のうち第１視聴者の位置が前記適正視聴範囲外にあると判定された場合は、前記第１視聴者が用いるシャッタ式眼鏡に対して、前記第１視聴者の位置と前記適正視聴範囲との位置関係を示す画像を視聴可能にするシャッタ制御信号を送信し、前記判定手段により複数の視聴者のうち第２視聴者の位置が前記適正視聴範囲内にあると判定された場合は、前記第２視聴者が用いるシャッタ式眼鏡に対して、前記第１視聴者の位置と前記適正視聴範囲との位置関係を示す画像を視聴可能にするシャッタ制御信号を送信しないことを特徴とする請求項５に記載の３次元映像処理装置。
【請求項７】
前記通信手段は、前記シャッタ式眼鏡の識別情報を受信して、前記適正視聴範囲外の視聴者と、前記適正視聴範囲内の視聴者とを識別することを特徴とする請求項５または６に記載の３次元映像処理装置。
【請求項８】
さらに、３次元映像と、前記適正視聴範囲外の視聴者の位置と前記適正視聴範囲との位置関係を示す画像とを時分割で出力する出力手段を備えることを特徴とする請求項１から請求項７までのいずれか１項に記載の３次元映像処理装置。
【請求項９】
前記位置検出手段は、前記視聴者が用いるシャッタ式眼鏡の位置を、前記視聴者の位置として検出することを特徴とする、請求項１から請求項８までのいずれか１項に記載の３次元映像処理装置。
【請求項１０】
視聴対象であるコンテンツについて、そのジャンルを判別する判別手段をさらに備え、
前記画像生成手段は、前記判別手段が判別したジャンルに応じて前記適正視聴範囲を変更することを特徴とする、請求項１から９のいずれか１項に記載の３次元映像処理装置。
【請求項１１】
視聴者の位置を検出する位置検出工程と、
前記位置検出工程で検出した視聴者の位置と、記憶手段に記憶された３次元映像を視聴するための適正視聴範囲との位置関係を示す画像を生成する画像生成工程と、を有することを特徴とする３次元映像処理装置の制御方法。
【請求項１２】
さらに、前記位置検出工程で検出した視聴者の位置が前記適正視聴範囲外にあるか否かを判定する判定工程を有し、
前記画像生成工程では、前記判定工程により前記視聴者の位置が前記適正視聴範囲外にあると判定された場合に、前記適正視聴範囲外の視聴者の位置と前記適正視聴範囲との位置関係を示す画像を生成することを特徴とする、請求項１１に記載の３次元映像処理装置の制御方法。
【請求項１３】
前記画像生成工程では、前記判定工程により複数の視聴者のうちの少なくとも１人の視聴者の位置が前記適正視聴範囲外にあると判定された場合に、前記適正視聴範囲外の視聴者の位置と前記適正視聴範囲との位置関係を示す画像を生成することを特徴とする、請求項１２に記載の３次元映像処理装置の制御方法。
【請求項１４】
前記画像生成工程では、前記判定工程により前記視聴者の位置が前記適正視聴範囲外にある時間が所定時間以上継続する場合に、前記適正視聴範囲外の視聴者の位置と前記適正視聴範囲との位置関係を示す画像を生成することを特徴とする、請求項１１から１３までのいずれか１項に記載の３次元映像処理装置の制御方法。
【請求項１５】
さらに、前記視聴者が用いるシャッタ式眼鏡に対して、シャッタ制御信号を送信する通信工程を有し、
前記通信工程では、前記判定工程により前記視聴者の位置が前記適正視聴範囲外にあると判定された場合は、前記適正視聴範囲外の視聴者が用いるシャッタ式眼鏡に対して、前記適正視聴範囲外の視聴者の位置と前記適正視聴範囲との位置関係を示す画像を視聴可能にするシャッタ制御信号を送信し、前記判定工程により前記視聴者の位置が前記適正視聴範囲内にあると判定された場合は、前記適正視聴範囲内の視聴者が用いるシャッタ式眼鏡に対して、３次元映像を視聴可能にするシャッタ制御信号を送信することを特徴とする、請求項１１から１４までのいずれか１項に記載の３次元映像処理装置の制御方法。
【請求項１６】
前記通信工程では、前記判定工程により複数の視聴者のうち第１視聴者の位置が前記適正視聴範囲外にあると判定された場合は、前記第１視聴者が用いるシャッタ式眼鏡に対して、前記第１視聴者の位置と前記適正視聴範囲との位置関係を示す画像を視聴可能にするシャッタ制御信号を送信し、前記判定工程により複数の視聴者のうち第２視聴者の位置が前記適正視聴範囲内にあると判定された場合は、前記第２視聴者が用いるシャッタ式眼鏡に対して、前記第１視聴者の位置と前記適正視聴範囲との位置関係を示す画像を視聴可能にするシャッタ制御信号を送信しないことを特徴とする請求項１５に記載の３次元映像処理装置の制御方法。
【請求項１７】
前記通信工程では、前記シャッタ式眼鏡の識別情報を受信して、前記適正視聴範囲外の視聴者と、前記適正視聴範囲内の視聴者とを識別することを特徴とする請求項１５または１６に記載の３次元映像処理装置の制御方法。
【請求項１８】
さらに、３次元映像と、前記適正視聴範囲外の視聴者の位置と前記適正視聴範囲との位置関係を示す画像とを時分割で出力する出力工程を有することを特徴とする請求項１１から請求項１７までのいずれか１項に記載の３次元映像処理装置の制御方法。
【請求項１９】
前記位置検出工程では、前記視聴者が用いるシャッタ式眼鏡の位置を、前記視聴者の位置として検出することを特徴とする、請求項１１から請求項１８までのいずれか１項に記載の３次元映像処理装置の制御方法。
【請求項２０】
視聴対象であるコンテンツについて、そのジャンルを判別する判別工程をさらに有し、前記画像生成工程では、前記判別で判別したジャンルに応じて前記適正視聴範囲を変更することを特徴とする、請求項１１から１９のいずれか１項に記載の３次元映像処理装置の制御方法。
【手続補正３】
【補正対象書類名】明細書
【補正対象項目名】０００６
【補正方法】変更
【補正の内容】
【０００６】
上記課題を解決するために、本発明に係る装置は、視聴者の位置を検出する位置検出手段と、３次元映像を視聴するための適正視聴範囲を示す情報を記憶する記憶手段と、前記位置検出手段が検出した視聴者の位置と前記適正視聴範囲との位置関係を示す画像を生成する画像生成手段と、を備える。